(57)【要約】【課題】    発光ムラのない均一な発光が可能な発光エンブレムを提供する。【解決手段】  エンブレム３００を載置できると共に、載置した状態でエンブレム３００の下方に空間２１８を形成できる扁平なケーシング２１０と、このケーシング側壁２１２の内周面２１２ａに設置されたＬＥＤチップ２２２と、該ＬＥＤチップ２２２とエンブレム３００との間に設置された拡散板２３０と、を備え、ＬＥＤチップ２２２を、ケーシング底面２１４と平行若しくはよりケーシング底面２１４側に指向性が向くように設置し、更にケーシング底面２１４に乳白色の塗膜２１６を形成する。【選択図】図２
0003169564.tif 000002
【実用新案登録請求の範囲】
【請求項１】
エンブレムを載置できると共に、載置した状態で当該エンブレムの下方に空間を形成できる扁平なケーシングと、
該ケーシングの内周面に設置された照射角１５０°以下のＬＥＤ光源と、
該ＬＥＤ光源と前記エンブレムとの間に設置された拡散板と、を備え、前記ＬＥＤ光源は、前記ケーシング底面と平行若しくはより前記ケーシング底面側に指向性が向くように設置されている
ことを特徴とするＬＥＤ発光エンブレム。
【請求項２】
請求項１において、
前記ケーシングの底面の色が白色若しくは乳白色とされている
ことを特徴とするＬＥＤ発光エンブレム。
【請求項３】
請求項１又は２において、
前記ＬＥＤ光源が、前記ケーシング内周面の全周に渡って設置されている
ことを特徴とするＬＥＤ発光エンブレム。
【請求項４】
請求項１〜３のいずれかにおいて、
前記拡散板の透過率が、前記エンブレム周縁側から中心側に向うに従い高くなるように設定されている
ことを特徴とするＬＥＤ発光エンブレム。
【請求項５】
請求項１〜４のいずれかにおいて、
前記拡散板が、ポリカーボネート製の板本体と、当該板本体の少なくとも一面側に貼付された乳半シートを有してなる
ことを特徴とするＬＥＤ発光エンブレム。
【請求項６】
請求項１〜５のいずれかにおいて、
前記拡散板には、当該拡散板と前記エンブレムとを重ねたとき、当該エンブレムの外縁部又は／及び内縁部から所定距離以上に離れた領域に光遮断処理が施されている
ことを特徴とするＬＥＤ発光エンブレム。
【考案の詳細な説明】
【技術分野】
【０００１】
本考案は、ＬＥＤを用いた照明装置の技術分野に関する。
【背景技術】
【０００２】
従来から、非特許文献１に示しているように、自動車等のエンブレムを加工して発光させ意匠性を向上させる技術が公知である。この技術について図６を用いて簡単に説明する。
【０００３】
図６に示しているように、従来の発光エンブレム１は、自動車等の車両ボデーＸに予め備わっているエンブレム１０（例えば車両メーカーのロゴマークのエンブレム、車種名やグレートに関するエンブレム等）を一旦取り外し、その取り外したエンブレム１０と車両ボデーＸとの間に、ＬＥＤ光源３０が適宜組込まれたアクリルプレート２０を挟むようにして再度車両ボデーＸ側に取り付ける構造である。なお、アクリルプレート２０に組込まれたＬＥＤ光源３０は、適当な間隔を空けて組込まれ、更に上向き（エンブレム側）に指向性が向くように取り付けられている。
【０００４】
このような構成の発光エンブレムであれば構造も単純で、例えば、ＤＩＹ等によって自作して楽しむことも可能であり、広く一般に受け入れられている。
【先行技術文献】
【非特許文献】
【０００５】
【非特許文献１】ウェブサイト  「光るエンブレム装着」のページ    http://bitch.t-a-f.mobi/HTML/DIY_hikaruenbremu_soucyaku.htm
【考案の概要】
【考案が解決しようとする課題】
【０００６】
しかしながら、上記構造の発光エンブレムの場合、不可避的に発光に「ムラ」が生じるという問題がある。具体的には、光源として指向性の強いＬＥＤを使用していることから、例えば、図７に示しているように、アクリルプレート２０に組込まれたＬＥＤ光源３０の周辺部４０の発光が強く、それ以外の部分の発光が弱くなってしまう。即ち、発光が均一でなく、「発光ムラ」が生じるのである。
【０００７】
特に近年、違和感や嫌味感のないドレスアップが好まれる傾向にあり、「さりげなさ」や「スマートさ」が重視されるに至っているが、上記のような発光ムラのある状態では、いかにも「加工してドレスアップをしている感じ」が強調され、更に、安物感なども強調されてしまうため、均一で上品な発光を実現できる発光エンブレムが切望されていた。
【０００８】
そこで本考案は、こういった発光ムラを解消し、簡単な構成で均一な発光を実現した発光エンブレム及びその製造方法を提供することをその課題としている。
【課題を解決するための手段】
【０００９】
上記課題を解決するべく、請求項１に記載の考案は、エンブレムを載置できると共に、載置した状態で当該エンブレムの下方に空間を形成できる扁平なケーシングと、該ケーシングの内周面に設置された照射角１５０°以下のＬＥＤ光源と、該ＬＥＤ光源と前記エンブレムとの間に設置された拡散板と、を備え、前記ＬＥＤ光源を、前記ケーシング底面と平行若しくはより前記ケーシング底面側に指向性が向くように設置していることを特徴とする。
【００１０】
このような構成を採用することによって、ケーシング内周面に設置されたＬＥＤ光源からの光はエンブレムとケーシングで形成された空間に向って照射されると共に、当該空間内で反射し、拡散板を介してエンブレム外側に放出される。即ち、空間内での反射によりＬＥＤの指向性が和らげられると共に、拡散板によって更に指向性が和らげられる。また、ＬＥＤ光源をケーシングの内周面に設置することで、エンブレムの面積全体に渡って光を効率よく分散させることができ、更に配線処理が容易となる。加えてＬＥＤ光源から直接的に拡散板に向う光が抑えられ、より多くの光が空間内で反射したうえで拡散板に向うこととなる。即ち、より高いレベルで発光の均一化、発光ムラの排除ができる。特に、ケーシング底面と平行な方向よりもよりケーシング底面側に指向性を向けた場合、ＬＥＤ光源から放たれた光のうち直接的に拡散板に向う光の殆どを抑えることができ、多くの光はケーシング底面に反射するので、拡散板に至る前の段階で既にＬＥＤ光源の指向性が相当程度和らげられる。
【００１１】
前記ケーシングの底面の色が白色若しくは乳白色とされていることを特徴とするＬＥＤ発光エンブレムである。
【００１２】
このようにケーシング底面を白色若しくは乳白色（パール、マイカ）とすることで、光の反射を促すと共に、当該反射によってもある程度の光の拡散を実現している。即ち、鏡面仕上げのような処理では、反射してもＬＥＤ光源の指向性が和らげられ難いので、本考案には不適である。なおここで、白色若しくは乳白色としているが、厳密にこの２つの色のみに限定する趣旨ではなく、所謂「白色系」の色であれば効果の程度に多少の差が生じるものの採用することは十分に可能である。
【００１３】
前記ＬＥＤ光源が、前記ケーシング内周面の全周に渡って設置されていることを特徴とするＬＥＤ発光エンブレムである。
【００１４】
このような構成を採用することによって、ケーシングの厚みを薄くした場合でも十分な光量を確保でき、また、全周から満遍なく光が照射されることで、エンブレム全体に渡って光の均一化を実現することができる。
【００１５】
前記拡散板の透過率が、前記エンブレム周縁側から中心側に向うに従い高くなるように設定されていることを特徴とするＬＥＤ発光エンブレムである。
【００１６】
このような構成を採用することによって、ケーシング内周面に設置されたＬＥＤ光源の光をより均一にエンブレム外側に放つことができる。即ち、空間内での反射等により相当程度拡散されて均一化が行われるが、ＬＥＤ光源はケーシング内周面に設置されていることから、どうしてもエンブレム周縁側での光量が強く、逆にエンブレム中心側での光量が弱くなる傾向にある。これを拡散板の透過率を調整（中心側の透過率が高い）することによってより高度なレベルでの均一化を図っている。
【００１７】
前記拡散板が、ポリカーボネート製の板本体と、当該板本体の少なくとも一面側に貼付された乳半シートを有してなることを特徴とするＬＥＤ発光エンブレムである。
【００１８】
このような構成を採用することによって、状況に応じて貼り付ける乳半シートの種類や枚数を変更することにより、好みに応じた拡散性能を発揮させることができる。また、板本体部分を共通化できるので、バリエーションを用意する場合のコストを削減できる。更に、十分な強度を確保しつつも薄く構成することができるので、発光エンブレム全体を薄く構成でき、違和感のない装着性（不用意に盛り上がったりしない）を確保することができる。
【００１９】
また、前記拡散板には、当該拡散板と前記エンブレムとを重ねたとき、当該エンブレムの外縁部又は／及び内縁部から所定距離以上に離れた領域に光遮断処理が施されていることを特徴とするＬＥＤ発光エンブレムである。
【００２０】
このような構成を採用したことによって、発光時にエンブレムの造形がより効果的に浮かび上がることとなり、発光時の意匠性を向上させることができる。
【考案の効果】
【００２１】
本考案を適用することで、エンブレム全体に渡ってムラのない均一かつ後付け感のない発光を実現でき、発光時のエンブレムの意匠性を向上させることができる。
【図面の簡単な説明】
【００２２】
【図１】本考案に係る発光エンブレムの概略構成を示した分解図である。
【図２】発光エンブレムの断面図である。
【図３】（Ａ）が拡散板の断面図であり、（Ｂ）が拡散板の正面図である。
【図４】発光エンブレムの正面図であって、拡散板の上にエンブレムが載置されている状態を示した図である。
【図５】（Ａ）がＬＥＤ光源の第２の配置例を示した断面図であり、（Ｂ）がＬＥＤ光源の第３の配置例を示した断面図である。
【図６】従来の発光エンブレムの概略構成図である。
【図７】従来の発光エンブレムの発光状態を模式的に示した図である。
【考案を実施するための形態】
【００２３】
以下、添付図面を参照しつつ、本考案の実施形態の一例である発光エンブレム１００について説明を加える。なお、図面理解容易の為、各部の大きさや寸法を誇張して表現している部分があり、実際の製品と必ずしも一致しない部分があることを付記しておく。
【００２４】
〈発光エンブレムの構成〉
発光エンブレム１００は、エンブレム本体３００と発光部２００とからなる。エンブレム本体３００は、例えば、自動車等の車両に備わっているメーカーのロゴマークであったり、車名やグレードを表すエンブレムである。車両に予め備わっているモノを取り外して利用しても良いし、別途部品（純正部品など）を購入して利用しても良い。
【００２５】
本実施形態で利用するエンブレム本体３００は、メーカーロゴマークの形状に成形されており、縁部３１０と、当該縁部３１０を連結している連結部３２０と、裏面までくり抜かれたくり抜き部３３０とからなる。エンブレム３００は一定の厚みを有しており、樹脂や金属で構成され、表面にメッキ処理が施されている。
【００２６】
発光部２００は、主として、エンブレム３００と略同径且つ扁平に形成されたケーシング２１０と拡散板２３０とを有してなる。
【００２７】
ケーシング２１０は、楕円形（エンブレムの形状と同じ）の底面２１４の外縁部が起立して側壁２１２を形成してなり、例えばＡＢＳ樹脂などにより一体成形されている。この側壁２１２の内周面（即ちケーシング２１０の内周面）２１２ａには、細長い板状のフレキシブル基板２２０が内周面２１２ａの全周に渡って沿うように配置されている。このフレキシブル基板２２０には、光源としてのＬＥＤチップ２２２が長手方向に順に並べられて備わっている。また、このＬＥＤチップ２２２は、丁度ケーシングの底面２１４と平行な方向（即ち水平方向）に指向性が向くように設置されている。また、ケーシング２１０の底面２１４には、乳白色（パール）の塗料（例えばアクリル塗料）が塗られた塗膜２１６が形成されている。
【００２８】
なお、フレキシブル基板２２０は、内周面２１２ａの全周に渡る一本のものでもよいが、本実施形態においては、短い５本程度のフレキシブル基板２２０が長手方向に並んだ構成とされている。
【００２９】
また、図面上は現れていないが、ケーシング２１０の内部には、フレキシブル基板２２０や各配線等が配置された状態で、全面にフッ素処理加工が施されており、防水性能を担保している。
【００３０】
拡散板２３０は、図３（Ａ）に示しているように、透明なポリカーボネート製の板本体２３２と、当該板本体２３２の下面側に形成された光遮断層（光遮断処理）２３４と、当該光遮断層２３４の更に下面側に形成された乳半層（乳半シート）２３６とからなる。
【００３１】
光遮断層２３４は、光の透過を遮るための層であり、板本体２３２に対して印刷により形成されている。ＬＥＤ光源（ＬＥＤチップ２２２）からの光を遮断できる限りにおいてその構成に限定はなく、印刷以外にも例えば光を遮断できるフィルムを貼付するような構成であってもよい。
【００３２】
乳半層２３６は、光を拡散する為の層であり、所定の拡散係数を有する乳半シートが貼付されて構成されている。特に素材に限定はないが、本実施形態ではポリカーボネート製の乳半シート（例えばレキサンフィルム（登録商標））で構成される。また、この乳半層２３６の光の透過率は全面に渡って均一ではなく、板本体２３２の縁部ほど透過率が低く、中央に近くなるほど徐々にその透過率が高くなるように構成されている（図３（Ｂ）参照）。
【００３３】
また、拡散板２３０は、エンブレム３００の裏面に接着剤を用いて貼付されている。このとき、拡散板２３０に備わる光遮断層２３４は、エンブレム３００の内縁部３１２、３２２の形状に沿うように所定の間隔Ｇが形成されるように印刷されている。
【００３４】
裏面に拡散板２３０が取り付けられたエンブレム３００は、ケーシング２１０に載置されて固定され、さらに、車両側に取り付けられて配線がなされる。また、このエンブレム３００が載置された状態で、エンブレム３００の下方には空間部２１８が形成される。
【００３５】
〈発光エンブレムの作用・機能〉
発光エンブレム１００に通電されると、それに伴い光源としてのＬＥＤチップ２２２が発光する。ＬＥＤチップ２２２はその指向性がケーシング２１０の底面２１４と平行な方向に指向性が向くように配置されているので、ケーシング２１０外縁側全周から空間部２１８（の中心）に向って光が放射される。放射された光は、ケーシング底面２１４に塗られた乳白色の塗膜２１６に反射等し、拡散板２３０側へと向う。
【００３６】
拡散板２３０には、所定の範囲に光遮断層２３４が形成されているので、当該光者断層２３４に当たった光は遮断され、反射される。一方光遮断層２３４が形成されていない部分ついては乳半層２３６で拡散されつつ板本体２３２を通過してエンブレム３００の外側（正面側）へと放出される。
【００３７】
このように、本考案に係る発光エンブレム１００では、指向性の強いＬＥＤチップを敢えて横向き（エンブレム正面方向に直交する方向）に設置することでＬＥＤの指向性を和らげている。更にケーシング底面２１４に乳白色の塗料を塗ることでここに反射した光を拡散させ指向性を和らげている。更に拡散板２３０を介してエンブレム３００外部に光を放出することで指向性を和らげている。更に、拡散板２３０の光透過率を、エンブレム外縁側と中心側とで変化させ、放出される光量をエンブレム３００の全域に渡って均一となるように調整している。即ち、これらの積み重ねによって、エンブレム３００の外部に放たれる光は、全体に渡って発光ムラのない均一化された状態となる。
【００３８】
〈その他の構成例〉
上記では、ケーシング２１０の底面２１４に乳白色の塗料が塗られて塗膜が形成されていたが、必ずしもこのような構成に限られない。例えば、白色や乳白色のプレート部材をケーシング２１０の底面２１４に装着するような構成であってもよい。
【００３９】
また上記では、拡散板２３０を構成する板本体２３２がポリカーボネート製とされていたが、これ以外にも例えばアクリル等で構成することも可能である。
【００４０】
また、図５（Ａ）に示したように、ＬＥＤ光源（ＬＥＤチップ２２２）の上面にドーナツ形状の反射部材２２４を設置するような構成を採用することもできる。このように構成すれば、ＬＥＤ光源（ＬＥＤチップ２２２）から拡散板２３０に直接向う光（ＬＥＤチップ２２２の側方に漏れ出る光）を排除でき、特にエンブレム外縁側の発光ムラを抑制することが可能となる。
【００４１】
また、図５（Ｂ）に示したように、例えば、側壁２１２とフレキシブル基板２２０との間に傾斜部材２２６を配置し、ＬＥＤ光源（ＬＥＤチップ２２２）の指向性が所定の角度θをなして下向き（ケーシング２１０の底面２１４側）となるように配置してもよい。このようにすれば、ＬＥＤ光源（ＬＥＤチップ２２２）から放たれた光のうち直接的に拡散板２３０に向う光の殆どを抑えることができ、多くの光はケーシング２１０の底面２１４に反射するので、拡散板２３０に至る前の段階で既にＬＥＤ光源（ＬＥＤチップ２２２）の指向性を相当程度和らげることができる。
【符号の説明】
【００４２】
１００…発光エンブレム
２００…発光部
２１０…ケーシング
２１２…側壁
２１２ａ…内周面（ケーシング内周面）
２１４…ケーシング底面
２１６…塗膜
２２０…フレキシブル基板
２２２…ＬＥＤチップ（ＬＥＤ光源）
２３０…拡散板
２３２…板本体
２３４…光遮断層（光遮断処理）
２３６…乳半層（乳半シート）
３００…エンブレム
３１０…縁部
３２０…連結部
３３０…くり抜き部
【図１】
0003169564.tif 000003
【図２】
0003169564.tif 000004
【図３】
0003169564.tif 000005
【図４】
0003169564.tif 000006
【図５】
0003169564.tif 000007
【図６】
0003169564.tif 000008
【図７】
0003169564.tif 000009